(57)【要約】【課題】本発明はビールコップを開示した。【解決手段】ビールコップはビールコップ本体を含み、前記ビールコップの内部には上方に開口したビールチャンバーが設けられ、前記ビールチャンバーの内部には泡除け機構が設けられ、前記泡除け機構は前記ビールチャンバーの前後端壁に回転できるように連結される伝動軸を含み、前記伝動軸には泡除け板が固定的に設けられ、前記泡除け板の内部にはフィルターが設けられ、前記泡除け板の内部には上方と、下方と左側に開口した弧状溝が設けられ、この装置はビールを入れ、ビールの泡が多すぎるとき、泡の溢れを妨げ、飲む人の体と服を汚さないようにする。そして、ビールに少量のなたね油を入れたら、速くビールの泡を減らし、よい味を確保できる。【選択図】図１
2020175134.tif 000002
【特許請求の範囲】
【請求項１】
正面視で、ビールコップ本体を含み、前記ビールコップの内部には上方に開口したビールチャンバーが設けられ、前記ビールチャンバーの内部には泡除け機構が設けられ、前記泡除け機構は前記ビールチャンバーの前後端壁に回転できるように連結される伝動軸を含み、前記伝動軸には泡除け板が固定的に設けられ、前記泡除け板の内部にはフィルターが設けられ、前記泡除け板の内部には上方と、下方と左側に開口した弧状溝が設けられ、前記弧状溝の内部の伝動軸には伝動歯車が固定的に設けられ、前記ビールチャンバーの左端壁の中には運動溝が設けられ、前記運動溝の左端壁が移動溝により外部に連通しており、前記運動溝の内部には右端が前記ビールチャンバーの中に位置しているラックがスライド可能に設けられ、前記ビールチャンバーの内部においてラックの上端面が前記伝動歯車と噛み合うように伝動し、前記移動溝の内部には移動ブロックがスライド可能に設けられ、前記移動ブロックの上端面には上端が前記移動溝の上端壁に固定的に連結される移動バネが固定的に設けられ、前記移動ブロックの左端面には左端が外部に位置している押えブロックが固定的に設けられ、前記移動ブロックが前記ラックと斜棒により回転可能に連結され、前記泡除け機構の下側には泡消し機構が設けられ、前記泡消し機構は左右対称の二つの垂直溝を含み、前記垂直溝が前記ビールコップの中に位置しており、また上端壁が前記ビールチャンバーに連結され、前記垂直溝の下端壁には垂直バネが固定的に設けられ、前記垂直バネの上端には前記垂直溝にスライド可能に連結される垂直棒が固定的に設けられ、二つの前記垂直棒の上端には圧力板が固定的に設けられ、左側の前記垂直棒の内部には左側の前記垂直棒の左右端面を貫通する横溝が設けられ、そして、前記押えブロックを下に押し、前記斜棒の伝動により前記ラックを右に運動連動させることができ、前記ラックと前記伝動軸の噛み合い伝動を通し、前記泡除け板を回転連動させることができることを特徴とするビールコップ。
【請求項２】
前記ビールコップの左端面にはハンドルが固定的に設けられ、前記移動溝の下端壁の中には活動溝が設けられ、前記活動溝が細溝によって前記移動溝と連通しており、前記細溝の内部には前記細溝の上下端壁を貫通する重力棒がスライド可能に設けられ、前記活動溝の下端壁には弾性溝が設けられ、前記弾性溝の左端壁には弾性バネが固定的に設けられ、前記弾性バネの右端には前記弾性溝にスライド可能に連結される弾性ブロックが固定的に設けられ、前記弾性ブロックの上端面には上端が前記活動溝の中に位置している弾性棒が固定的に設けられ、前記弾性棒の上端には台形ブロックが固定的に設けられ、前記台形ブロックの内部には右方に開口した圧力溝が設けられ、前記圧力溝の左端壁には圧力バネが固定的に設けられ、前記圧力バネの右端には右端が左側の前記垂直溝の中に位置している圧力棒が固定的に設けられ、しかも、前記重力棒が下がり、前記台形ブロックをプッシュし右に運動させることができることを特徴とする請求項１に記載のビールコップ。
【請求項３】
前記泡消し機構が左側の前記垂直溝の右端壁の中に位置している収納溝を含み、前記収納溝が左方に開口しており、前記収納溝の後端壁には小オイル保存ブロックと大オイル保存ブロックが固定的に設けられ、前記大オイル保存ブロックの内部には大オイル保存溝が設けられ、前記大オイル保存溝の下端壁が外部に粗いパイプによって連通しており、前記粗いパイプの内部にはチェックバルブが設けられ、前記小オイル保存ブロックの内部には小オイル保存溝が設けられ、前記小オイル保存溝の内部にはピストンがスライド可能に設けられ、前記ピストンの右端面には右端が前記小オイル保存溝の右端壁に固定的に連結されるピストンバネが固定的に上下対称的に設けられ、前記ピストンの右端面の中心には右端が前記収納溝の中に位置しているピストン棒が固定的に設けられ、前記ピストン棒の右端には伝動棒が固定的に設けられ、前記小オイル保存溝が前記大オイル保存溝に細パイプによって連結され、前記細パイプの内部にはチェックバルブが設けられ、前記小オイル保存溝が前記ビールチャンバーに曲がりパイプによって連通しており、前記曲がりパイプの内部にはチェックバルブが設けられ、そして、前記横溝が前記圧力棒の位置まで運動するとき、前記圧力棒が前記横溝を貫通でき、また前記伝動棒をプッシュし右に運動させることができ、前記チェックバルブが一方向に液体を通される機能があることを特徴とする請求項１に記載のビールコップ。
【発明の詳細な説明】
【技術分野】
【０００１】
本発明はコップ分野に関し、具体的にはビールコップである。
【背景技術】
【０００２】
ビールコップはビールを入れる専用コップである。ほとんどは容量が大きく、ガラス製である。しかし、今のビールコップはビールを入れた後大量の泡がたち、ビールの味に影響を与え、そしてビールの泡が溢れやすく、飲む人の服が汚れる。
【先行技術文献】
【特許文献】
【０００３】
【特許文献１】中国特許出願公開第106805643号明細書
【発明の概要】
【発明が解決しようとする課題】
【０００４】
本発明はビールコップを提供し、既存技術にある上記の欠点を解消することを目的とする。
【課題を解決するための手段】
【０００５】
ビールコップはビールコップ本体を含み、前記ビールコップの内部には上方に開口したビールチャンバーが設けられ、前記ビールチャンバーの内部には泡除け機構が設けられ、前記泡除け機構は前記ビールチャンバーの前後端壁に回転できるように連結される伝動軸を含み、前記伝動軸には泡除け板が固定的に設けられ、前記泡除け板の内部にはフィルターが設けられ、前記泡除け板の内部には上方と、下方と左側に開口した弧状溝が設けられ、前記弧状溝の内部の伝動軸には伝動歯車が固定的に設けられ、前記ビールチャンバーの左端壁の中には運動溝が設けられ、前記運動溝の左端壁が移動溝により外部に連通しており、前記運動溝の内部には右端が前記ビールチャンバーの中に位置しているラックがスライド可能に設けられ、前記ビールチャンバーの内部においてラックの上端面が前記伝動歯車と噛み合うように伝動し、前記移動溝の内部には移動ブロックがスライド可能に設けられ、前記移動ブロックの上端面には上端が前記移動溝の上端壁に固定的に連結される移動バネが固定的に設けられ、前記移動ブロックの左端面には左端が外部に位置している押えブロックが固定的に設けられ、前記移動ブロックが前記ラックと斜棒により回転可能に連結され、前記泡除け機構の下側には泡消し機構が設けられ、前記泡消し機構は左右対称の二つの垂直溝を含み、前記垂直溝が前記ビールコップの中に位置しており、また上端壁が前記ビールチャンバーに連結され、前記垂直溝の下端壁には垂直バネが固定的に設けられ、前記垂直バネの上端には前記垂直溝にスライド可能に連結される垂直棒が固定的に設けられ、二つの前記垂直棒の上端には圧力板が固定的に設けられ、左側の前記垂直棒の内部には左側の前記垂直棒の左右端面を貫通する横溝が設けられ、そして、前記押えブロックを下に押し、前記斜棒の伝動により前記ラックを右に運動連動させることができ、前記ラックと前記伝動軸の噛み合い伝動を通し、前記泡除け板を回転連動させることができる。
【０００６】
有益的には、前記ビールコップの左端面にはハンドルが固定的に設けられ、前記移動溝の下端壁の中には活動溝が設けられ、前記活動溝が細溝によって前記移動溝と連通しており、前記細溝の内部には前記細溝の上下端壁を貫通する重力棒がスライド可能に設けられ、前記活動溝の下端壁には弾性溝が設けられ、前記弾性溝の左端壁には弾性バネが固定的に設けられ、前記弾性バネの右端には前記弾性溝にスライド可能に連結される弾性ブロックが固定的に設けられ、前記弾性ブロックの上端面には上端が前記活動溝の中に位置している弾性棒が固定的に設けられ、前記弾性棒の上端には台形ブロックが固定的に設けられ、前記台形ブロックの内部には右方に開口した圧力溝が設けられ、前記圧力溝の左端壁には圧力バネが固定的に設けられ、前記圧力バネの右端には右端が左側の前記垂直溝の中に位置している圧力棒が固定的に設けられ、しかも、前記重力棒が下がり、前記台形ブロックをプッシュし右に運動させることができる。
【０００７】
有益的には、前記泡消し機構が左側の前記垂直溝の右端壁の中に位置している収納溝を含み、前記収納溝が左方に開口しており、前記収納溝の後端壁には小オイル保存ブロックと大オイル保存ブロックが固定的に設けられ、前記大オイル保存ブロックの内部には大オイル保存溝が設けられ、前記大オイル保存溝の下端壁が外部に粗いパイプによって連通しており、前記粗いパイプの内部にはチェックバルブが設けられ、前記小オイル保存ブロックの内部には小オイル保存溝が設けられ、前記小オイル保存溝の内部にはピストンがスライド可能に設けられ、前記ピストンの右端面には右端が前記小オイル保存溝の右端壁に固定的に連結されるピストンバネが固定的に上下対称的に設けられ、前記ピストンの右端面の中心には右端が前記収納溝の中に位置しているピストン棒が固定的に設けられ、前記ピストン棒の右端には伝動棒が固定的に設けられ、前記小オイル保存溝が前記大オイル保存溝に細パイプによって連結され、前記細パイプの内部にはチェックバルブが設けられ、前記小オイル保存溝が前記ビールチャンバーに曲がりパイプによって連通しており、前記曲がりパイプの内部にはチェックバルブが設けられ、そして、前記横溝が前記圧力棒の位置まで運動するとき、前記圧力棒が前記横溝を貫通でき、また前記伝動棒をプッシュし右に運動させることができ、前記チェックバルブが一方向に液体を通される機能がある。
【発明の効果】
【０００８】
本発明の有益効果：この装置はビールを入れ、ビールの泡が多すぎるとき、泡の溢れを妨げ、飲む人の体と服を汚さないようにする。そして、ビールに少量のなたね油を入れたら、速くビールの泡を減らし、よい味を確保できる。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のビールコップの全断面の正面構造略図
【図２】図２は図１における「Ａ」の拡大構造略図
【図３】図３は図１における「Ｂ」の拡大構造略図
【図４】図４は図１における「Ｄ」の拡大構造略図
【図５】図５は図１における「Ｃ―Ｃ」の構造略図
【発明を実施するための形態】
【００１１】
本説明書における公開したあらゆる特徴あるいは公開したあらゆる方法と過程でのステップは、お互いに反発する特徴とステープを除き、どの方式でも組み合わせる。
【００１２】
図１〜５の示すように、本発明の提供している実施例：ビールコップはビールコップ本体１０を含み、前記ビールコップ１０の内部には上方に開口したビールチャンバー１７が設けられ、前記ビールチャンバー１７の内部には泡除け機構６０が設けられ、前記泡除け機構６０は前記ビールチャンバー１７の前後端壁に回転できるように連結される伝動軸３７を含み、前記伝動軸３７には泡除け板１５が固定的に設けられ、前記泡除け板１５の内部にはフィルター１６が設けられ、前記泡除け板１５の内部には上方と、下方と左側に開口した弧状溝３６が設けられ、前記弧状溝３６の内部の伝動軸３７には伝動歯車１４が固定的に設けられ、前記ビールチャンバー１７の左端壁の中には運動溝３５が設けられ、前記運動溝３５の左端壁が移動溝５３により外部に連通しており、前記運動溝３５の内部には右端が前記ビールチャンバー１７の中に位置しているラック３８がスライド可能に設けられ、前記ビールチャンバー１７の内部においてラック３８の上端面が前記伝動歯車１４と噛み合うように伝動し、前記移動溝５３の内部には移動ブロック３４がスライド可能に設けられ、前記移動ブロック３４の上端面には上端が前記移動溝５３の上端壁に固定的に連結される移動バネ３３が固定的に設けられ、前記移動ブロック３４の左端面には左端が外部に位置している押えブロック１３が固定的に設けられ、前記移動ブロック３４が前記ラック３８と斜棒３２により回転可能に連結され、前記泡除け機構６０の下側には泡消し機構６１が設けられ、前記泡消し機構６１は左右対称の二つの垂直溝２０を含み、前記垂直溝２０が前記ビールコップ１０の中に位置しており、また上端壁が前記ビールチャンバー１７に連結され、前記垂直溝２０の下端壁には垂直バネ２１が固定的に設けられ、前記垂直バネ２１の上端には前記垂直溝２０にスライド可能に連結される垂直棒１９が固定的に設けられ、二つの前記垂直棒１９の上端には圧力板１８が固定的に設けられ、左側の前記垂直棒１９の内部には左側の前記垂直棒１９の左右端面を貫通する横溝２８が設けられ、そして、前記押えブロック１３を下に押し、前記斜棒３２の伝動により前記ラック３８を右に運動連動させることができ、前記ラック３８と前記伝動軸３７の噛み合い伝動を通し、前記泡除け板１５を回転連動させることができる。
【００１３】
有益的には、前記ビールコップ１０の左端面にはハンドル５４が固定的に設けられ、前記移動溝５３の下端壁の中には活動溝４６が設けられ、前記活動溝４６が細溝１２によって前記移動溝５３と連通しており、前記細溝１２の内部には前記細溝１２の上下端壁を貫通する重力棒１１がスライド可能に設けられ、前記活動溝４６の下端壁には弾性溝４９が設けられ、前記弾性溝４９の左端壁には弾性バネ５２が固定的に設けられ、前記弾性バネ５２の右端には前記弾性溝４９にスライド可能に連結される弾性ブロック５１が固定的に設けられ、前記弾性ブロック５１の上端面には上端が前記活動溝４６の中に位置している弾性棒５０が固定的に設けられ、前記弾性棒５０の上端には台形ブロック３０が固定的に設けられ、前記台形ブロック３０の内部には右方に開口した圧力溝４７が設けられ、前記圧力溝４７の左端壁には圧力バネ４８が固定的に設けられ、前記圧力バネ４８の右端には右端が左側の前記垂直溝２０の中に位置している圧力棒２９が固定的に設けられ、しかも、前記重力棒１１が下がり、前記台形ブロック３０をプッシュし右に運動させることができる。
【００１４】
有益的には、前記泡消し機構６１が左側の前記垂直溝２０の右端壁の中に位置している収納溝２６を含み、前記収納溝２６が左方に開口しており、前記収納溝２６の後端壁には小オイル保存ブロック４０と大オイル保存ブロック２４が固定的に設けられ、前記大オイル保存ブロック２４の内部には大オイル保存溝２５が設けられ、前記大オイル保存溝２５の下端壁が外部に粗いパイプ２３によって連通しており、前記粗いパイプ２３の内部にはチェックバルブ２２が設けられ、前記小オイル保存ブロック４０の内部には小オイル保存溝４２が設けられ、前記小オイル保存溝４２の内部にはピストン４１がスライド可能に設けられ、前記ピストン４１の右端面には右端が前記小オイル保存溝４２の右端壁に固定的に連結されるピストンバネ４５が固定的に上下対称的に設けられ、前記ピストン４１の右端面の中心には右端が前記収納溝２６の中に位置しているピストン棒３９が固定的に設けられ、前記ピストン棒３９の右端には伝動棒４４が固定的に設けられ、前記小オイル保存溝４２が前記大オイル保存溝２５に細パイプ２７によって連結され、前記細パイプ２７の内部にはチェックバルブ２２が設けられ、前記小オイル保存溝４２が前記ビールチャンバー１７に曲がりパイプ４３によって連通しており、前記曲がりパイプ４３の内部にはチェックバルブ２２が設けられ、そして、前記横溝２８が前記圧力棒２９の位置まで運動するとき、前記圧力棒２９が前記横溝２８を貫通でき、また前記伝動棒４４をプッシュし右に運動させることができ、前記チェックバルブ２２が一方向に液体を通される機能がある。
【００１５】
下記には申込者は付図１〜５を及び前記に説明した本申し込みのビールコップの具体的な組み合わせを参考し、本申し込みのビールコップの使い方を詳しく説明する：
【００１６】
ハンドル５４を握り、押えブロック１３を下に押し、斜棒３２の伝動によって、ラック３８を右に運動連動させ、ラック３８と伝動歯車１４との噛み合い伝動によって、伝動歯車１４を運動連動させ、それにより泡除け板１５を九十度回転させ、その時ビールチャンバー１７の中にビールを入れ、ビールが圧力板１８を押し下に運動させ、押えブロック１３が移動ブロック３４を下に動かし重力棒１１を下に運動させ、重力棒１１と台形ブロック３０の協働によって、台形ブロック３０を右に運動連動させ、圧力棒２９が左側の垂直棒１９に妨げられ、圧力バネ４８が圧縮され、定量のビールを入れたら、大量の泡がたち、横溝２８が圧力棒２９の位置に運動し、圧力バネ４８がリセットし、圧力棒２９を動かし、伝動棒４４を右に運動させ、大オイル保存溝２５の中のなたね油を小オイル保存溝４２の中に吸い込み、押えブロック１３を緩め、フィルター１６があふれようとしているビールの泡を除け、伝動棒４４が左にリセットし、ピストン４１を動かし、小オイル保存溝４２の中のなたね油を曲がりパイプ４３によって、ビールに入れ、速くビールの泡を減らす。
【００１７】
本発明の有益効果：この装置はビールを入れ、ビールの泡が多すぎるとき、泡の溢れを妨げ、飲む人の体と服を汚さないようにする。そして、ビールに少量のなたね油を入れたら、速くビールの泡を減らし、よい味を確保できる。
【００１８】
以上に述べたのはただ本発明の具体的な実施方式であり、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175134.tif 000003
【図２】
2020175134.tif 000004
【図３】
2020175134.tif 000005
【図４】
2020175134.tif 000006
【図５】
2020175134.tif 000007
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
正面視で、ビールコップ本体を含み、前記ビールコップ本体の内部には上方に開口したビールチャンバーが設けられ、前記ビールチャンバーの内部には泡除け機構が設けられ、前記泡除け機構は前記ビールチャンバーの前後端壁に回転できるように連結される伝動軸を含み、前記伝動軸には泡除け板が固定的に設けられ、前記泡除け板の内部にはフィルターが設けられ、前記泡除け板の内部には上方と、下方と左側に開口した弧状溝が設けられ、前記弧状溝の内部の前記伝動軸には伝動歯車が固定的に設けられ、前記ビールチャンバーの左端壁の中には運動溝が設けられ、前記運動溝の左端壁が移動溝により外部に連通しており、前記運動溝の内部には右端が前記ビールチャンバーの中に位置しているラックがスライド可能に設けられ、前記ビールチャンバーの内部においてラックの上端面が前記伝動歯車と噛み合うように伝動し、前記移動溝の内部には移動ブロックがスライド可能に設けられ、前記移動ブロックの上端面には上端が前記移動溝の上端壁に固定的に連結される移動バネが固定的に設けられ、前記移動ブロックの左端面には左端が外部に位置している押えブロックが固定的に設けられ、前記移動ブロックが前記ラックと斜棒により回転可能に連結され、前記泡除け機構の下側には泡消し機構が設けられ、前記泡消し機構は左右対称の二つの垂直溝を含み、前記垂直溝が前記ビールコップ本体の中に位置しており、また上端壁が前記ビールチャンバーに連結され、前記垂直溝の下端壁には垂直バネが固定的に設けられ、前記垂直バネの上端には前記垂直溝にスライド可能に連結される垂直棒が固定的に設けられ、二つの前記垂直棒の上端には圧力板が固定的に設けられ、左側の前記垂直棒の内部には左側の前記垂直棒の左右端面を貫通する横溝が設けられ、そして、前記押えブロックを下に押し、前記斜棒の伝動により前記ラックを右に運動連動させることができ、前記ラックと前記伝動軸の噛み合い伝動を通し、前記泡除け板を回転連動させることができ、 
前記ビールコップ本体の左端面にはハンドルが固定的に設けられ、前記移動溝の下端壁の中には活動溝が設けられ、前記活動溝が細溝によって前記移動溝と連通しており、前記細溝の内部には前記細溝の上下端壁を貫通する重力棒がスライド可能に設けられ、前記活動溝の下端壁には弾性溝が設けられ、前記弾性溝の左端壁には弾性バネが固定的に設けられ、前記弾性バネの右端には前記弾性溝にスライド可能に連結される弾性ブロックが固定的に設けられ、前記弾性ブロックの上端面には上端が前記活動溝の中に位置している弾性棒が固定的に設けられ、前記弾性棒の上端には台形ブロックが固定的に設けられ、前記台形ブロックの内部には右方に開口した圧力溝が設けられ、前記圧力溝の左端壁には圧力バネが固定的に設けられ、前記圧力バネの右端には右端が左側の前記垂直溝の中に位置している圧力棒が固定的に設けられ、しかも、前記重力棒が下がり、前記台形ブロックをプッシュし右に運動させることができ、
前記泡消し機構が左側の前記垂直溝の右端壁の中に位置している収納溝を含み、前記収納溝が左方に開口しており、前記収納溝の後端壁には小オイル保存ブロックと大オイル保存ブロックが固定的に設けられ、前記大オイル保存ブロックの内部には大オイル保存溝が設けられ、前記大オイル保存溝の下端壁が外部に粗いパイプによって連通しており、前記粗いパイプの内部にはチェックバルブが設けられ、前記小オイル保存ブロックの内部には小オイル保存溝が設けられ、前記小オイル保存溝の内部にはピストンがスライド可能に設けられ、前記ピストンの右端面には右端が前記小オイル保存溝の右端壁に固定的に連結されるピストンバネが固定的に上下対称的に設けられ、前記ピストンの右端面の中心には右端が前記収納溝の中に位置しているピストン棒が固定的に設けられ、前記ピストン棒の右端には伝動棒が固定的に設けられ、前記小オイル保存溝が前記大オイル保存溝に細パイプによって連結され、前記細パイプの内部にはチェックバルブが設けられ、前記小オイル保存溝が前記ビールチャンバーに曲がりパイプによって連通しており、前記曲がりパイプの内部にはチェックバルブが設けられ、そして、前記横溝が前記圧力棒の位置まで運動するとき、前記圧力棒が前記横溝を貫通でき、また前記伝動棒をプッシュし右に運動させることができ、前記チェックバルブが一方向になたね油を通される機能があることを特徴とするビールコップ。
【手続補正２】
【補正対象書類名】明細書
【補正対象項目名】全文
【補正方法】変更
【補正の内容】
【発明の詳細な説明】
【技術分野】
【０００１】
本発明はコップ分野に関し、具体的にはビールコップである。 
【背景技術】
【０００２】
ビールコップはビールを入れる専用コップである。ほとんどは容量が大きく、ガラス製である。しかし、今のビールコップはビールを入れた後大量の泡がたち、ビールの味に影響を与え、そしてビールの泡が溢れやすく、飲む人の服が汚れる。 
【先行技術文献】
【特許文献】
【０００３】
【特許文献１】中国特許出願公開第106805643号明細書
【発明の概要】
【発明が解決しようとする課題】
【０００４】
本発明はビールコップを提供し、既存技術にある上記の欠点を解消することを目的とする。
【課題を解決するための手段】
【０００５】
ビールコップはビールコップ本体を含み、前記ビールコップ本体の内部には上方に開口したビールチャンバーが設けられ、前記ビールチャンバーの内部には泡除け機構が設けられ、前記泡除け機構は前記ビールチャンバーの前後端壁に回転できるように連結される伝動軸を含み、前記伝動軸には泡除け板が固定的に設けられ、前記泡除け板の内部にはフィルターが設けられ、前記泡除け板の内部には上方と、下方と左側に開口した弧状溝が設けられ、前記弧状溝の内部の前記伝動軸には伝動歯車が固定的に設けられ、前記ビールチャンバーの左端壁の中には運動溝が設けられ、前記運動溝の左端壁が移動溝により外部に連通しており、前記運動溝の内部には右端が前記ビールチャンバーの中に位置しているラックがスライド可能に設けられ、前記ビールチャンバーの内部においてラックの上端面が前記伝動歯車と噛み合うように伝動し、前記移動溝の内部には移動ブロックがスライド可能に設けられ、前記移動ブロックの上端面には上端が前記移動溝の上端壁に固定的に連結される移動バネが固定的に設けられ、前記移動ブロックの左端面には左端が外部に位置している押えブロックが固定的に設けられ、前記移動ブロックが前記ラックと斜棒により回転可能に連結され、前記泡除け機構の下側には泡消し機構が設けられ、前記泡消し機構は左右対称の二つの垂直溝を含み、前記垂直溝が前記ビールコップ本体の中に位置しており、また上端壁が前記ビールチャンバーに連結され、前記垂直溝の下端壁には垂直バネが固定的に設けられ、前記垂直バネの上端には前記垂直溝にスライド可能に連結される垂直棒が固定的に設けられ、二つの前記垂直棒の上端には圧力板が固定的に設けられ、左側の前記垂直棒の内部には左側の前記垂直棒の左右端面を貫通する横溝が設けられ、そして、前記押えブロックを下に押し、前記斜棒の伝動により前記ラックを右に運動連動させることができ、前記ラックと前記伝動軸の噛み合い伝動を通し、前記泡除け板を回転連動させることができる。 
【０００６】
有益的には、前記ビールコップ本体の左端面にはハンドルが固定的に設けられ、前記移動溝の下端壁の中には活動溝が設けられ、前記活動溝が細溝によって前記移動溝と連通しており、前記細溝の内部には前記細溝の上下端壁を貫通する重力棒がスライド可能に設けられ、前記活動溝の下端壁には弾性溝が設けられ、前記弾性溝の左端壁には弾性バネが固定的に設けられ、前記弾性バネの右端には前記弾性溝にスライド可能に連結される弾性ブロックが固定的に設けられ、前記弾性ブロックの上端面には上端が前記活動溝の中に位置している弾性棒が固定的に設けられ、前記弾性棒の上端には台形ブロックが固定的に設けられ、前記台形ブロックの内部には右方に開口した圧力溝が設けられ、前記圧力溝の左端壁には圧力バネが固定的に設けられ、前記圧力バネの右端には右端が左側の前記垂直溝の中に位置している圧力棒が固定的に設けられ、しかも、前記重力棒が下がり、前記台形ブロックをプッシュし右に運動させることができる。 
【０００７】
有益的には、前記泡消し機構が左側の前記垂直溝の右端壁の中に位置している収納溝を含み、前記収納溝が左方に開口しており、前記収納溝の後端壁には小オイル保存ブロックと大オイル保存ブロックが固定的に設けられ、前記大オイル保存ブロックの内部には大オイル保存溝が設けられ、前記大オイル保存溝の下端壁が外部に粗いパイプによって連通しており、前記粗いパイプの内部にはチェックバルブが設けられ、前記小オイル保存ブロックの内部には小オイル保存溝が設けられ、前記小オイル保存溝の内部にはピストンがスライド可能に設けられ、前記ピストンの右端面には右端が前記小オイル保存溝の右端壁に固定的に連結されるピストンバネが固定的に上下対称的に設けられ、前記ピストンの右端面の中心には右端が前記収納溝の中に位置しているピストン棒が固定的に設けられ、前記ピストン棒の右端には伝動棒が固定的に設けられ、前記小オイル保存溝が前記大オイル保存溝に細パイプによって連結され、前記細パイプの内部にはチェックバルブが設けられ、前記小オイル保存溝が前記ビールチャンバーに曲がりパイプによって連通しており、前記曲がりパイプの内部にはチェックバルブが設けられ、そして、前記横溝が前記圧力棒の位置まで運動するとき、前記圧力棒が前記横溝を貫通でき、また前記伝動棒をプッシュし右に運動させることができ、前記チェックバルブが一方向になたね油を通される機能がある。 
【発明の効果】
【０００８】
本発明の有益効果：この装置はビールを入れ、ビールの泡が多すぎるとき、泡の溢れを妨げ、飲む人の体と服を汚さないようにする。そして、ビールに少量のなたね油を入れたら、速くビールの泡を減らし、よい味を確保できる。 
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１０】
【図１】図１は本発明のビールコップの全断面の正面構造略図
【図２】図２は図１における「Ａ」の拡大構造略図
【図３】図３は図１における「Ｂ」の拡大構造略図
【図４】図４は図１における「Ｄ」の拡大構造略図
【図５】図５は図１における「Ｃ―Ｃ」の構造略図
【発明を実施するための形態】
【００１１】
本説明書における公開したあらゆる特徴あるいは公開したあらゆる方法と過程でのステップは、お互いに反発する特徴とステープを除き、どの方式でも組み合わせる。 
【００１２】
図１〜５の示すように、本発明の提供している実施例：ビールコップはビールコップ本体１０を含み、前記ビールコップ本体１０の内部には上方に開口したビールチャンバー１７が設けられ、前記ビールチャンバー１７の内部には泡除け機構６０が設けられ、前記泡除け機構６０は前記ビールチャンバー１７の前後端壁に回転できるように連結される伝動軸３７を含み、前記伝動軸３７には泡除け板１５が固定的に設けられ、前記泡除け板１５の内部にはフィルター１６が設けられ、前記泡除け板１５の内部には上方と、下方と左側に開口した弧状溝３６が設けられ、前記弧状溝３６の内部の前記伝動軸３７には伝動歯車１４が固定的に設けられ、前記ビールチャンバー１７の左端壁の中には運動溝３５が設けられ、前記運動溝３５の左端壁が移動溝５３により外部に連通しており、前記運動溝３５の内部には右端が前記ビールチャンバー１７の中に位置しているラック３８がスライド可能に設けられ、前記ビールチャンバー１７の内部においてラック３８の上端面が前記伝動歯車１４と噛み合うように伝動し、前記移動溝５３の内部には移動ブロック３４がスライド可能に設けられ、前記移動ブロック３４の上端面には上端が前記移動溝５３の上端壁に固定的に連結される移動バネ３３が固定的に設けられ、前記移動ブロック３４の左端面には左端が外部に位置している押えブロック１３が固定的に設けられ、前記移動ブロック３４が前記ラック３８と斜棒３２により回転可能に連結され、前記泡除け機構６０の下側には泡消し機構６１が設けられ、前記泡消し機構６１は左右対称の二つの垂直溝２０を含み、前記垂直溝２０が前記ビールコップ本体１０の中に位置しており、また上端壁が前記ビールチャンバー１７に連結され、前記垂直溝２０の下端壁には垂直バネ２１が固定的に設けられ、前記垂直バネ２１の上端には前記垂直溝２０にスライド可能に連結される垂直棒１９が固定的に設けられ、二つの前記垂直棒１９の上端には圧力板１８が固定的に設けられ、左側の前記垂直棒１９の内部には左側の前記垂直棒１９の左右端面を貫通する横溝２８が設けられ、そして、前記押えブロック１３を下に押し、前記斜棒３２の伝動により前記ラック３８を右に運動連動させることができ、前記ラック３８と前記伝動軸３７の噛み合い伝動を通し、前記泡除け板１５を回転連動させることができる。 
【００１３】
有益的には、前記ビールコップ本体１０の左端面にはハンドル５４が固定的に設けられ、前記移動溝５３の下端壁の中には活動溝４６が設けられ、前記活動溝４６が細溝１２によって前記移動溝５３と連通しており、前記細溝１２の内部には前記細溝１２の上下端壁を貫通する重力棒１１がスライド可能に設けられ、前記活動溝４６の下端壁には弾性溝４９が設けられ、前記弾性溝４９の左端壁には弾性バネ５２が固定的に設けられ、前記弾性バネ５２の右端には前記弾性溝４９にスライド可能に連結される弾性ブロック５１が固定的に設けられ、前記弾性ブロック５１の上端面には上端が前記活動溝４６の中に位置している弾性棒５０が固定的に設けられ、前記弾性棒５０の上端には台形ブロック３０が固定的に設けられ、前記台形ブロック３０の内部には右方に開口した圧力溝４７が設けられ、前記圧力溝４７の左端壁には圧力バネ４８が固定的に設けられ、前記圧力バネ４８の右端には右端が左側の前記垂直溝２０の中に位置している圧力棒２９が固定的に設けられ、しかも、前記重力棒１１が下がり、前記台形ブロック３０をプッシュし右に運動させることができる。
【００１４】
有益的には、前記泡消し機構６１が左側の前記垂直溝２０の右端壁の中に位置している収納溝２６を含み、前記収納溝２６が左方に開口しており、前記収納溝２６の後端壁には小オイル保存ブロック４０と大オイル保存ブロック２４が固定的に設けられ、前記大オイル保存ブロック２４の内部には大オイル保存溝２５が設けられ、前記大オイル保存溝２５の下端壁が外部に粗いパイプ２３によって連通しており、前記粗いパイプ２３の内部にはチェックバルブ２２が設けられ、前記小オイル保存ブロック４０の内部には小オイル保存溝４２が設けられ、前記小オイル保存溝４２の内部にはピストン４１がスライド可能に設けられ、前記ピストン４１の右端面には右端が前記小オイル保存溝４２の右端壁に固定的に連結されるピストンバネ４５が固定的に上下対称的に設けられ、前記ピストン４１の右端面の中心には右端が前記収納溝２６の中に位置しているピストン棒３９が固定的に設けられ、前記ピストン棒３９の右端には伝動棒４４が固定的に設けられ、前記小オイル保存溝４２が前記大オイル保存溝２５に細パイプ２７によって連結され、前記細パイプ２７の内部にはチェックバルブ２２が設けられ、前記小オイル保存溝４２が前記ビールチャンバー１７に曲がりパイプ４３によって連通しており、前記曲がりパイプ４３の内部にはチェックバルブ２２が設けられ、そして、前記横溝２８が前記圧力棒２９の位置まで運動するとき、前記圧力棒２９が前記横溝２８を貫通でき、また前記伝動棒４４をプッシュし右に運動させることができ、前記チェックバルブ２２が一方向になたね油を通される機能がある。 
【００１５】
下記には申込者は付図１〜５を及び前記に説明した本申し込みのビールコップの具体的な組み合わせを参考し、本申し込みのビールコップの使い方を詳しく説明する： 
【００１６】
ハンドル５４を握り、押えブロック１３を下に押し、斜棒３２の伝動によって、ラック３８を右に運動連動させ、ラック３８と伝動歯車１４との噛み合い伝動によって、伝動歯車１４を運動連動させ、それにより泡除け板１５を九十度回転させ、その時ビールチャンバー１７の中にビールを入れ、ビールが圧力板１８を押し下に運動させ、押えブロック１３が移動ブロック３４を下に動かし重力棒１１を下に運動させ、重力棒１１と台形ブロック３０の協働によって、台形ブロック３０を右に運動連動させ、圧力棒２９が左側の垂直棒１９に妨げられ、圧力バネ４８が圧縮され、定量のビールを入れたら、大量の泡がたち、横溝２８が圧力棒２９の位置に運動し、圧力バネ４８がリセットし、圧力棒２９を動かし、伝動棒４４を右に運動させ、大オイル保存溝２５の中のなたね油を小オイル保存溝４２の中に吸い込み、押えブロック１３を緩め、フィルター１６があふれようとしているビールの泡を除け、伝動棒４４が左にリセットし、ピストン４１を動かし、小オイル保存溝４２の中のなたね油を曲がりパイプ４３によって、ビールに入れ、速くビールの泡を減らす。
【００１７】
本発明の有益効果：この装置はビールを入れ、ビールの泡が多すぎるとき、泡の溢れを妨げ、飲む人の体と服を汚さないようにする。そして、ビールに少量のなたね油を入れたら、速くビールの泡を減らし、よい味を確保できる。 
【００１８】
以上に述べたのはただ本発明の具体的な実施方式であり、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。